(57)【要約】【課題】余計な材料コストが掛かる事なく、且つ、加工時間を短縮できるタンクの構造を実現する。【解決手段】タンク１ｃの胴部２ｃの内周面を、その内径寸法ｄ２ｃが下方に進むに従って小さくなる傾斜面２０とする。又、前記胴部２ｃの軸方向各部の径方向に関する厚さ寸法Ｈ２ｃを、下方へ向かうに従って大きくする。この様にして、前記胴部２ｃの軸方向各部の剛性を、使用状態に於いて、当該部分に加わる液圧との関係で適切に設計する。【選択図】図１
2014196140.tif 000002
【特許請求の範囲】
【請求項１】
中空状の金型の内側に粉末状の熱可塑性樹脂を入れた状態で、この金型を回転させると共に加熱して、溶融した熱可塑性樹脂を前記金型の内面に溶着させる回転成形により成形された中空状のタンクに於いて、
中空状の胴部の内周面が、上端から下端へ向かうに従って、その内径が小さくなった内径変化面であり、前記胴部の径方向に関する厚さ寸法が、下方へ向かうに従って大きくなっている事を特徴とするタンク。
【請求項２】
中空状の金型の内側に熱可塑性樹脂を入れた状態で、この金型を回転させると共に加熱して、溶融した熱可塑性樹脂を前記金型の内面に溶着させる回転成形により成形された中空状のタンクに於いて、
中空状の胴部の内周面のうちの、上端から軸方向中間部に掛けての部分が、下方に向かうに従ってその内径寸法が小さくなった内径変化面であり、前記胴部のうちの、この内径変化面部分に整合する部分の厚さ寸法が、下方に向かうに従って大きくなっており、
前記胴部の内周面のうちの、前記内径変化面の下方部分である残部の内径寸法が、この内径変化面部分の下端部の内径寸法よりも大きく、
前記胴部のうちの、この残部と整合する部分の厚さ寸法がこの内径変化面部分の下端部に整合する位置の厚さ寸法よりも小さく、
前記胴部の、前記残部と整合する位置の外周面に、中空状の補強枠を外嵌している事を特徴とするタンク。
【発明の詳細な説明】
【技術分野】
【０００１】
この発明は、各種薬品や水等の液体を貯溜しておく為に使用される合成樹脂製のタンクの改良に関する。
【背景技術】
【０００２】
工場等で各種薬品や水等の液体（内容液）を貯溜しておく為の大型のタンクが使用されている。図３は、特許文献１に記載された、従来構造のタンク１の構造を示している。このタンク１は、合成樹脂製で円筒状の胴部２と、この胴部２の下側開口部を塞ぐ底部３と、この胴部２の上側開口部を塞ぐ天板部４とを一体に成形して成る。又、このタンク１の天板部４に形成された開口部には、取り外し可能なキャップ５が組み付けられている。尚、本明細書及び特許請求の範囲に於いて、胴部とは、タンクの内側に貯溜する内容液の周囲を囲む側壁部の事を言う。
【０００３】
又、上述の様なタンク１を、合成樹脂の回転成形により造る事が、例えば非特許文献１に記載されている様に、従来から行われている。この様な回転成形では、図４（ａ）に示す様な金型６を使用する。この金型６は、上方のみが開口した有底円筒状の金型本体７と、この金型本体７の開口部を塞ぐ為の蓋体８とから成る。又、この様な金型６は、この金型本体７とこの蓋体８とを組み付けた状態で、成形する前記タンク１の外面形状に見合う内面形状を有する。以下、前記非特許文献１に記載された回転成形によるタンクの製造方法に就いて、簡単に説明する。
【０００４】
回転成形により前記タンク１を製造するには、先ず、図４（ａ）に示す様に、前記金型本体７の内側に粉末状の、例えば、ポリエチレン（ＰＥ）、ポリプロピレン（ＰＰ）、ポリカーボネート（ＰＣ）等の熱可塑性樹脂９（図４に梨地で示す部分）を入れる。次いで、回転成形の方法の１例として図４（ｂ）に示す様に、前記金型本体７の開口部を前記蓋体８で塞いだ状態の金型６を、回転成形装置１０に、Ｘ軸及びＹ軸回りの回転が可能な状態で組み付けると共に、この金型６の周囲にこの回転成形装置１０を構成する加熱器１１を配置する。
【０００５】
前記加熱器１１は、径方向ガスバーナ１２と、上側ガスバーナ１５と、下側ガスバーナ１７とを備えている。このうちの径方向ガスバーナ１２は、前記金型本体７の軸方向寸法とほぼ同じ長さ寸法を有している。又、この径方向ガスバーナ１２は、この金型６の外周面と所定の間隔を空けた状態で設けられている。この様な径方向ガスバーナ１２は、その軸方向（図４の上下方向）の複数箇所に径方向炎口１４を有している。そして、これら各径方向炎口１４から前記金型６の外周面に向けて、炎を放出できる｛図４（ｂ）の矢印α参照｝。
【０００６】
又、前記上側ガスバーナ１５は、前記金型６の外径寸法のほぼ半分の長さ寸法を有しており、前記金型６（蓋体８）の上面と所定の間隔を空けた状態で設けられている。この様な上側ガスバーナ１５は、その軸方向（図４の左右方向）の複数箇所に上側炎口１６を有しており、これら各上側炎口１６から前記金型６の上面に向けて、炎を放出できる｛図４（ｂ）の矢印β参照｝。
更に、前記下側ガスバーナ１７は、前記金型６の外径寸法のほぼ半分の長さ寸法を有しており、前記金型６（金型本体７）の下面と所定の間隔を空けた状態で設けられている。この様な下側ガスバーナ１７は、その軸方向（図４の左右方向）の複数箇所に下側炎口１８を有しており、これら各下側炎口１８から前記金型６（金型本体７）の下面に向けて、炎を放出できる｛図４（ｂ）の矢印γ参照｝。
【０００７】
尚、この様な各ガスバーナ１２、１５、１７は、前記金型６の前記Ｘ軸を中心とした回転に対して、この金型６と連れ回り可能な状態で設けられている。一方、前記金型６の前記Ｙ軸を中心とした回転に対しては、この金型６と連れ回り不能な状態で設けられている。要するに、前記各ガスバーナ１２、１５、１７は、前記Ｘ軸回りに前記金型６と同期して回転するが、前記Ｙ軸回りには回転しない。尚、上述の例の場合、前記金型を前記各ガスバーナ１２、１５、１７により加熱しているが、別の方法として例えば、金型を炉の中に入れて加熱する、所謂炉方式により行う事もできる。
【０００８】
上述の様な状態で回転成形装置１０に組み付けられた前記金型６を、この回転成形装置１０の金型回転手段（図示省略）により、前記Ｘ軸及びＹ軸を中心に回転させると共に、前記各ガスバーナ１２、１５、１７により前記金型６を、その内部の温度が前記熱可塑性樹脂９の融点以上になるまで加熱する。すると、この金型６の内側にある熱可塑性樹脂９が溶融する。この様に溶融した熱可塑性樹脂９は、その流動性が低く、前記金型６の内面或いは近くに存在する既に溶融した他の熱可塑性樹脂９と溶着してその場（溶融した位置）に留まる。一方、溶融していない熱可塑性樹脂９は、この金型６の回転に伴い、この金型６の内側で移動する。この様に前記金型６を回転させながら加熱する作業を、総ての熱可塑性樹脂９が溶融（溶着）するまで続ける。
【０００９】
次いで、図４（ｃ）に示す様に、前記金型６を冷却して、この金型６の内側で溶融している熱可塑性樹脂９を固化させる。尚、冷却方法として、例えば、図４（ｂ）に示す状態で、前記各ガスバーナ１２、１５、１７の炎の放出のみを止めて、前記金型６を回転させる事により自然放熱させる方法、或いは、冷却時間を短縮したい場合には、冷却水等により水冷する方法を採用できる。
そして、上述の冷却作業が終了した後、図４（ｄ）に示す様に、前記金型本体７から前記蓋体８を外して、前記タンク１を取り出す。
上述の様にして成形したタンク１の外周面及び内周面は、それぞれの径方向寸法が、軸方向の全長に亙り一定の円筒面状である。従って、前記タンク１の胴部２に関する、径方向に関する厚さ及び剛性は、軸方向の全長に亙り一定である。
【００１０】
ところで、上述のタンクは、使用状態に於いて、その内側に貯溜した液体から受ける液圧に耐える為の剛性が必要となる。そこで、従来から、図５〜６に示す様な方法で前記タンクの胴部の剛性を確保する事が行われている。このうちの図５に示す構造の場合、回転成形により成形した合成樹脂製のタンク１ａの胴部２ａを、軸方向の全長に亙り金属製の補強枠１９により補強している。この補強枠１９は、例えば、一般構造用圧延鋼材（ＳＳ材）或いはステンレス鋼材（ＳＵＳ材）等から成る鋼板を曲げ成形すると共に溶接して、その全体を円筒状としたものである。そして、この補強枠１９を、前記タンク１ａの胴部２ａの外周面に外嵌している。この様な従来構造のタンク１ａの場合、前記補強枠１９で前記タンク１ａの胴部２ａの剛性を補う事ができる。この為、この胴部２ａの径方向に関する厚さ寸法を小さくして、熱可塑性樹脂の材料コストの低減、及び、回転成形による前記タンク１ａの加工時間の短縮を図れる。但し、前記補強枠１９の材料コスト及び加工コストが嵩んでしまう。
【００１１】
一方、前記図６に示す構造の場合、回転成形により成形した合成樹脂製のタンク１ｂのみで構成している。従って、このタンク１ｂの胴部２ｂの剛性を確保する為に、この胴部２ｂの径方向に関する厚さ寸法Ｈ２ｂを、前記図５に示すタンク１ａの胴部２ａの径方向に関する厚さ寸法Ｈ２ａよりも大きくしている（Ｈ２ｂ＞Ｈ２ａ）。この様な従来構造のタンク１ｂの場合、前記補強枠１９を設けた構造と比べて、この補強枠１９に掛かる分のコストを抑える事ができる。但し、熱可塑性樹脂の材料コスト及び回転成形による加工時間が長くなってしまい、加工コストが嵩んでしまう。
【００１２】
尚、前述の構造のタンク１ａ、１ｂにしても、その使用状態に於いて、これら各タンク１ａ、１ｂには、その内側に貯溜した液体からその深さに比例した液圧が加わる。従って、これら各タンク１ａ、１ｂの胴部２ａ、２ｂは、これら各胴部２ａ、２ｂの下側程大きい剛性が求められる。この様な事情を考慮して、上述の様な従来構造のタンク１ａ、１ｂの場合、前記各胴部２ａ、２ｂの下端部が必要とする剛性に合わせて、これら各胴部２ａ、２ｂの径方向に関する厚さ寸法（剛性）を決定している。この為、これら各胴部２ａ、２ｂの上端部の剛性は、当該部分に加わる液圧に耐える為に必要な剛性に対して、過剰になってしまう。この様に、前記各胴部２ａ、２ｂの下部に合わせて、これら各胴部２ａ、２ｂ全体の剛性を決定する場合、この下部以外の部分の剛性が過剰になり、その分だけ材料コストが嵩んでしまう。
【先行技術文献】
【特許文献】
【００１３】
【特許文献１】特開２００４−１９６３２５号公報
【非特許文献】
【００１４】
【非特許文献１】ダイライト株式会社のホームページ、“技術情報：回転成形”、［ｏｎｌｉｎｅ］、［平成２５年３月１５日検索］、インターネット＜ＵＲＬ：http://www.dailite.co.jp/04_tex/01_seikei_kaiten.html＞
【発明の開示】
【発明が解決しようとする課題】
【００１５】
本発明は、上述の様な事情に鑑みて、回転成形により成形するタンクの胴部の軸方向各部分の剛性を、この胴部の内側にある液体から当該各部分に加わる液圧に対して、過剰にならない様に設計する事により、余計な材料コストが掛かる事なく、且つ、加工時間を短縮できるタンクの構造を実現すべく発明したものである。
【課題を解決するための手段】
【００１６】
本発明のタンクは何れも、前述した従来構造と同様に、中空状の金型の内側に粉末状の熱可塑性樹脂を入れた状態で、この金型を回転させると共に加熱して、溶融した熱可塑性樹脂を前記金型の内面に溶着させる回転成形により中空状に成形する。
特に請求項１に記載したタンクに於いては、中空状の胴部の内周面が、上端から下端へ向かうに従って、その内径寸法が小さくなった内径変化面であり、前記胴部の軸方向に関する厚さ寸法が、下方へ向かうに従って大きくなっている。尚、内径変化面とは、その内径寸法が、下方に進む程、直線的或いは曲線的に小さくなる何れの形状をも含む。又、前記胴部の上端寄り部分は、最低限の厚さ寸法を確保する為の設計の都合上、その内径寸法及び厚さ寸法が変化しない部分が形成される場合があるが、この様な部分が形成されている場合には、当該部分よりも下方側に前記内径変化面を形成する。
【００１７】
一方、請求項２に記載した発明の場合、中空状の胴部の内周面のうちの、上端から軸方向中間部に掛けての部分が、下方に向かうに従ってその内径寸法が小さくなった内径変化面であり、前記胴部のうちの、この内径変化面部分に整合する部分の厚さ寸法が、下方に向かうに従って大きくなっている。
又、前記胴部の内周面のうちの、前記内径変化面部分の下方に在る残部の内径寸法が、この内径変化面部分の下端部の内径寸法よりも大きく、前記胴部のうちの、この残部と整合する部分の厚さ寸法がこの内径変化面部分の下端部に整合する位置の厚さ寸法よりも小さい。
更に、前記胴部の、前記残部と整合する位置の外周面に、中空筒状の補強枠を外嵌している。
【発明の効果】
【００１８】
上述の様に構成する本発明によれば、余計な材料コストが掛かる事なく、且つ、回転成形による加工時間を短縮できる。
即ち、請求項１に記載した発明の場合、タンクの胴部の内周面が、下方に向かうに従ってその内径寸法が小さくなると共に、この胴部の軸方向各部の厚さ寸法が、下方に向かうに従って大きくなる。従って、この胴部の軸方向各部の剛性は、下方に向かうに従って大きくなる。この為、前記胴部の軸方向各部の剛性を、当該部分が液体から受ける液圧の大きさとの関係で適切に設定する事ができる。この結果、前述した従来構造の様に、前記胴部の上端部等の剛性が、当該部分に加わる液圧に対して過剰になる事がなく、余計な材料コストが掛かる事がない。又、使用する材料を少なくできる為、回転成形による加工時間を短縮できる。
【００１９】
又、請求項２に記載した発明の場合、タンクの胴部の下端寄り部分の厚さ寸法を、当該部分の上部の厚さ寸法よりも小さくしている。即ち、請求項１に記載した発明の場合と比べて、前記胴部の下端寄り部分の材料の量を少なくできる。この為、材料コストの低減及び回転成形による加工時間の短縮を図れる。尚、この様な請求項２に記載した発明の場合、前記胴部の下端寄り部分の剛性を補う為に、当該部分の外側に補強枠を設けている為、この補強枠のコストが別途必要となるが、製造に掛かる総コストは、前述した従来構造のタンクの製造コストよりも低く抑えられる。
【図面の簡単な説明】
【００２０】
【図１】本発明の実施の形態の第１例を示す、タンクの断面図。
【図２】本発明の実施の形態の第２例を示す、タンクの断面図。
【図３】従来構造のタンクの構造を示す側面図。
【図４】回転成形によりタンクを成形する工程を説明する為の模式図。
【図５】従来構造のタンクの剛性を確保する為の構造の１例を示すタンクの断面図。
【図６】同じく、別例を示すタンクの断面図。
【発明を実施するための最良の形態】
【００２１】
［実施の形態の第１例］
図１は請求項１に対応する、本発明の実施の形態の第１例を示している。本例のタンク１ｃは、前述の従来構造の各タンク１、１ａ、１ｂと同様に、例えば、ポリエチレン（ＰＥ）、ポリプロピレン（ＰＰ）、ポリカーボネート（ＰＣ）等の熱可塑性樹脂製で、円筒状の胴部２ｃと、同じくこの胴部２ｃの下側開口部を塞ぐ円板状の底部３ａと、同じく上側開口部を塞ぐ円板状の天板部４ａとを、回転成形により一体に成形して成る。尚、この天板部４ａには、キャップ５（図５参照）を組み付ける為の開口部（図示省略）を形成している。
【００２２】
ところで、前記タンク１ｃの使用状態に於いて、前記胴部２ｃの軸方向各部が、その内側に存在する液体から受ける液圧の大きさは、当該部分の深さ（液体の液面からの距離）に比例する。従って、この液圧は、前記胴部２ｃの内面（傾斜面２０）の下端部で最も大きくなる。そこで、本例の場合、この胴部２ｃの軸方向各部の径方向に関する厚さ寸法Ｈ２ｃ（剛性）を、使用状態に於いて、当該部分に掛かる液圧に基づいて設定している。
【００２３】
具体的には、本例のタンク１ｃに於いては、前記胴部２ｃの外周面を、その外径寸法Ｄ２ｃが軸方向（図１の上下方向）の全長に亙り一定な円筒面としている。一方、前記胴部２ｃの内周面を、その内径寸法ｄ２ｃが下方に向かうに従って小さくなる方向に直線的（或いは曲線的）に傾斜した、特許請求の範囲に記載した内径変化面に相当する傾斜面２０としている。この様にして、前記胴部２ｃの軸方向各部の径方向に関する厚さ寸法Ｈ２ｃを、下方へ向かうに従って大きくしている。
【００２４】
次に、上述の様な本例のタンク１ｃの製造方法に就いて簡単に説明する。本例のタンク１ｃは、前述の図４に示した回転成形により成形する。但し、本例の場合、図４（ｂ）の工程、即ち、金型６を、回転成形装置の金型回転手段によりＸ軸及びＹ軸を中心に回転させると共に、各ガスバーナ１２、１５、１７で加熱する工程を工夫している。
【００２５】
具体的には、熱可塑性樹脂の、溶融すると金型６の内面或いは近くに存在する既に溶融した他の熱可塑性樹脂と溶着して、その場（溶融した位置）に留まると言った性質を利用して本例のタンク１ｃを成形する。即ち、前記金型回転手段或いは前記各ガスバーナ１２、１５、１７等の加工条件を制御する事により、例えば、前記金型６の内周面の上端寄り部分では、前記熱可塑性樹脂を溶融させる量を少なくし、この金型６の内周面の上端から下方に進むに従って、当該各部分で溶融させる前記熱可塑性樹脂の量を徐々に増やしていく。すると、上述の様な性質により、前記熱可塑性樹脂は、溶融した位置に溶着して留まる為、この熱可塑性樹脂を多く溶融させた位置ほど、その径方向に関する厚さ寸法は大きくなる。この様にして、総ての熱可塑性樹脂を溶融（溶着）させた後、前述した従来の製造方法と同様に、前記金型６を冷却して、この金型６の内側で溶融している熱可塑性樹脂を固化させる。そして、この冷却作業が終了した後、図４（ｄ）に示す様に、前記金型本体７から前記蓋体８を外して、前記タンク１ｃを取り出す。
【００２６】
上述の様に構成する本例のタンク１ｃによれば、余計な材料コストが掛かる事なく、且つ、回転成形による加工時間を短縮できる。
即ち、本例の場合、前記タンク１ｃの胴部２ｃの内周面が、下方に向かうに従ってその内径寸法が小さくなると共に、この胴部２ｃの軸方向各部の厚さ寸法が、下方に向かうに従って大きくなる。従って、この胴部２ｃの軸方向各部の剛性は、下方に向かうに従って大きくなる。この為、この胴部２ｃの軸方向各部分の剛性を、当該部分が液体から受ける液圧の大きさとの関係で適切に設計する事ができる。この結果、前述した従来構造の各タンク１、１ａ、１ｂの様に、胴部２、２ａ、２ｂの上端部等の剛性が、当該部分に加わる液圧に対して過剰になる事がなく、余計な材料コストが掛かる事がない。
又、本例のタンク１ｃの場合、タンクの質量（使用する材料の量）を、同じ使用条件（例えば、内容液の比重等）を想定して作られた、従来構造のタンクの質量（使用する熱可塑性樹脂の量）と比べて小さく（少なく）できる。この結果、回転成形による加工時間を短縮できる。
【００２７】
［実施の形態の第２例］
図２は請求項２に対応する、本発明の実施の形態の第２例を示している。本例のタンク１ｄの場合、前述の実施の形態の第１例のタンク１ｃの胴部２ｃと同様に、胴部２ｄの外周面を、その外径寸法Ｄ２ｄが軸方向（図２の上下方向）の全長に亙り一定な円筒面としている。一方、前記胴部２ｄの内周面を、傾斜面２０ａと、この傾斜面２０ａの下方に設けられた円筒面２１と、これら両面２０ａ、２１とを連続させる連続面２２とにより構成している。尚、前記傾斜面２０が特許請求の範囲に記載した内径変化面に相当し、この円筒面２１と連続面２２とが同じく残部に相当する部分である。
【００２８】
このうちの傾斜面２０ａは、前記胴部２ｄの内周面のうちの、上端から軸方向中間部（全長の約２／３の位置）に掛けて形成されており、下方に向かうに従ってその内径寸法ｄ２０ａが小さくなる方向に直線的に傾斜している。又、前記胴部２ｄの前記傾斜面２０ａに整合する部分の厚さ寸法Ｈ２０ａは、下方に向かうに従って大きくなる。尚、この様な傾斜面２０ａの下端の軸方向位置は、本例の場合に限定されるものではない。使用する熱可塑性樹脂や後述する補強枠１９ａの種類等に基づいて、最も低コストで製造できる様な位置を適宜設計的に決定する。
又、前記円筒面２１は、前記胴部２ｄの内周面のうちの、軸方向中間部（全長の約２／３の位置）から下端部に掛けて形成されている。又、前記円筒面２１の内径寸法ｄ２１、及び、前記胴部２ｄのこの円筒面２１と整合する位置の径方向に関する厚さ寸法Ｈ２１、は全長に亙り一定であり、本例の場合には、前記胴部２ｄの上端部に於ける内径寸法及び厚さ寸法とほぼ同じである。尚、この様な円筒面２１の上端の軸方向位置は、本例の場合に限定されるものではない。使用する熱可塑性樹脂や後述する補強枠１９ａの種類等に基づいて、最も低コストで製造できる様な位置を適宜設計的に決定する。
又、前記連続面２２は、前記傾斜面２０ａの下端と、前記円筒面２１の上端とを連続する傾斜面であり、その内径寸法ｄ２２が、下方に向かうに従って大きくなる。又、前記胴部２ｃのこの連続面２２と整合する位置の径方向に関する厚さ寸法Ｈ２２は、下方に向かうに従って小さくなる。
【００２９】
更に、本例のタンク１ｄの場合、前記胴部２ｄのうちの、前記円筒面２１及び前記連続面２２と整合する位置の外周面に、金属製で円筒状の補強枠１９ａを外嵌している。この補強枠１９ａは、内周面及び外周面が何れも円筒面であり、軸方向の全長に亙り一定の径方向の厚さ寸法を有する。尚、この補強枠１９ａは、前述の従来構造と同様に、例えば、板状の一般構造用圧延鋼材（ＳＳ材）或いはステンレス鋼材（ＳＵＳ材）等の鋼板を曲げ成形すると共に溶接して、その全体を円筒状としたものである。
上述の様に構成する本例のタンク１ｄの場合、このタンク１ｄの胴部２ｄの剛性（胴部２ｄの軸方向各部の厚さ寸法）を、この胴部２ｄの下端寄り部分を前記補強枠１９ａにより補強した状態で、前記胴部２ｃの軸方向各部に掛かる液圧との関係で適切な大きさに設定している。
【００３０】
上述の様に、本例のタンク１ｄの場合、前述した実施の形態の第１例のタンク１ｃと比べて、前記胴部２ｄの下端寄り部分（連続面２２及び円筒面２１に整合する部分）の厚さ寸法が小さい。この為、前述の実施の形態の第１例のタンク１ｃと比べて、前記胴部２ｄを構成する熱可塑性樹脂の量を少なくできる。この様に本例のタンク１ｄの構造によれば、材料コストの低減及び加工時間の短縮を図れる。尚、本例のタンク１ｄの場合、この胴部２ｄの下端寄り部分の剛性を補う為に、当該部分の外周面に前記補強枠１９ａを設けている為、この補強枠１９ａのコストが別途必要となる。但し、製造に掛かる総コストは、前述した従来構造のタンクの製造コストよりも抑えられる。この様な本例のタンク１ｄは、この補強枠１９ａのコストが掛かっても、回転成形による加工時間を短縮したい場合に適している。
【００３１】
尚、本例のタンク１ｄを製造する方法も、前述の実施の形態の第１例のタンク１ｃの製造方法と同様に、回転成形装置の金型回転手段或いは各ガスバーナ１２、１５、１７（図４参照）等の加工条件を制御する事により行う。具体的には、例えば、前記傾斜面２０ａを成形する際には、前記金型６の内周面の上端から下方に向かうに従って溶融させる前記熱可塑性樹脂の量を徐々に増やす様にする。又、前記連続面２２を成形する際には、この連続面２２の上端に相当する部分から下方に向かうに従って溶融させる前記熱可塑性樹脂の量を徐々に減らす様にする。更に、前記円筒面２１を成形する際には、この円筒部２１の全長に亙り、溶融させる前記熱可塑性樹脂の量を一定にする。その他の製造方法は前述した実施の形態の第１例の場合と同様である。
【産業上の利用可能性】
【００３２】
本発明を実施する場合に、胴部の外周面の形状は円筒面に限定されるものではない。又、前述した実施の形態の第１例の構造の胴部の内周面、及び、実施の形態の第２例の胴部のうちの傾斜面の形状（軸方向長さ、傾斜角度等）は、使用条件、加工条件等を考慮して適宜設計的に決定するものである。
【符号の説明】
【００３３】
１、１ａ、１ｂ、１ｃ、１ｄ  タンク
２、２ａ、２ｂ、２ｃ、２ｄ  胴部
３、３ａ  底部
４、４ａ  天板部
５  キャップ
６  金型
７  金型本体
８  蓋体
９  熱可塑性樹脂
１０  回転成形装置
１１  加熱器
１２  径方向ガスバーナ
１３  上側ガスバーナ
１４  径方向炎口
１５  上側ガスバーナ
１６  上側炎口
１７  下側ガスバーナ
１８  下側炎口
１９、１９ａ  補強枠
２０、２０ａ  傾斜面
２１  円筒面
２２  連続面
【図１】
2014196140.tif 000003
【図２】
2014196140.tif 000004
【図３】
2014196140.tif 000005
【図４】
2014196140.tif 000006
【図５】
2014196140.tif 000007
【図６】
2014196140.tif 000008